(57)【特許請求の範囲】
【請求項１】
土台と、
前記土台に立てられた軸部材と、
前記軸部材を中心に回転可能な回転部材とを備え、
前記回転部材は、前記軸部材の軸線方向に並べて配置された複数の回転盤を有し、
各前記回転盤には、前記軸部材を中心に巻回されたエレベータロープが載せられるエレベータロープ取替装置であって、
前記回転部材の周囲に設けられ、前記回転盤に載せられた前記エレベータロープが前記回転部材の径方向外側へ移動することを規制する規制部材と、
前記回転部材に出し入れされる各前記エレベータロープを別々に案内する案内部材とをさらに備え、
前記規制部材は、前記土台に立てられ、
前記案内部材は、前記土台に立てられた一対の柱部材と、各前記柱部材の間に設けられ、前記柱部材の長手方向に並べて配置された複数のローラとを有し、
前記柱部材には、前記ローラの回転軸が挿入される複数の貫通孔が形成され、
複数の前記貫通孔は、前記柱部材の長手方向に並べて配置されていることを特徴とするエレベータロープ取替装置。
【請求項２】
前記土台と前記回転部材との間に設けられ、前記回転部材が前記土台に対して回転可能となるように前記回転部材を支持するキャスタをさらに備えたことを特徴とする請求項１に記載のエレベータロープ取替装置。
【請求項３】
前記回転盤は、前記エレベータロープの端部に形成された貫通孔に挿入されることにより前記エレベータロープの端部が前記回転盤に固定される固定部材を有していることを特徴とする請求項１または請求項２に記載のエレベータロープ取替装置。
【請求項４】
各前記回転盤は、互いに分離可能であることを特徴とする請求項１ないし請求項３の何れか１項に記載のエレベータロープ取替装置。
【発明の詳細な説明】
【技術分野】
【０００１】
この発明は、エレベータロープが出し入れされるエレベータロープ取替装置に関する。
【背景技術】
【０００２】
従来、軸線方向が水平方向となるように設けられた軸部材と、軸部材に設けられた複数の巻胴体とを備えたエレベータロープ巻取装置が知られている。巻胴体は、軸部材の軸線方向に並べて配置されている。各巻胴体は、それぞれが同期して軸部材を中心に回転するようになっている。エレベータロープを取り替える際には、複数の旧エレベータロープは、各巻胴体に巻回されることにより、エレベータロープ巻取装置に巻き取られる（例えば、特許文献１参照）。
【先行技術文献】
【特許文献】
【０００３】
【特許文献１】特開２００２−２０５８８４号公報
【発明の概要】
【発明が解決しようとする課題】
【０００４】
しかしながら、軸部材は、軸線方向が水平方向となるように配置されているので、エレベータロープの本数が多い場合には、装置全体の水平方向の寸法が大きくなってしまい、作業者が作業を行う作業スペースが狭くなってしまうという問題点があった。
【０００５】
この発明は、水平方向の寸法を小さくすることができるエレベータロープ取替装置を提供するものである。
【課題を解決するための手段】
【０００６】
この発明に係るエレベータロープ取替装置は、土台と、前記土台に立てられた軸部材と、前記軸部材を中心に回転可能な回転部材とを備え、前記回転部材は、前記軸部材の軸線方向に並べて配置された複数の回転盤を有し、各前記回転盤には、前記軸部材を中心に巻回されたエレベータロープが載せられるエレベータロープ取替装置であって、前記回転部材の周囲に設けられ、前記回転盤に載せられた前記エレベータロープが前記回転部材の径方向外側へ移動することを規制する規制部材と、前記回転部材に出し入れされる各前記エレベータロープを別々に案内する案内部材とをさらに備え、前記規制部材は、前記土台に立てられ、前記案内部材は、前記土台に立てられた一対の柱部材と、各前記柱部材の間に設けられ、前記柱部材の長手方向に並べて配置された複数のローラとを有し、前記柱部材には、前記ローラの回転軸が挿入される複数の貫通孔が形成され、複数の前記貫通孔は、前記柱部材の長手方向に並べて配置されている。
【発明の効果】
【０００７】
この発明に係るエレベータロープ取替装置によれば、軸部材が土台に立てられ、エレベータロープが載せられる複数の回転盤が、軸部材の軸線方向に並べて配置されているので、エレベータロープ取替装置全体の水平方向の寸法を小さくすることができる。
【図面の簡単な説明】
【０００８】
【図１】この発明の実施の形態１に係るエレベータロープ取替装置を示す斜視図である。
【図２】図１のエレベータロープ取替装置を示す正面図である。
【図３】図１のエレベータロープ取替装置を示す側面図である。
【図４】図３の土台、軸部材、回転部材およびキャスタを示す側面図である。
【図５】図３の土台、軸部材、回転部材、キャスタおよび案内部材を示す側面図である。
【図６】図３の土台、軸部材、キャスタ、案内部材および規制部材を示す平面図である。
【図７】図６の土台、軸部材、キャスタ、案内部材および規制部材を示す側面図である。
【図８】図１の台座を示す側面図である。
【図９】図８のＩＸ−ＩＸ線に沿った矢視断面図である。
【発明を実施するための形態】
【０００９】
実施の形態１．
図１はこの発明の実施の形態１に係るエレベータロープ取替装置を示す斜視図、図２は図１のエレベータロープ取替装置を示す正面図、図３は図１のエレベータロープ取替装置を示す側面図である。図において、エレベータロープ取替装置は、床１の上に載せられる円板形状の土台２と、土台２の中央部に立てられた軸部材３と、軸部材３に設けられ軸部材３を中心に回転可能な回転部材４と、エレベータロープ（図示せず）を案内する案内部材５と、回転部材４の周囲に設けられた３個の規制部材６と、土台２の上面に設けられ、回転部材４が土台２に対して回転可能となるように回転部材４を支持する複数のキャスタ７とを備えている。
【００１０】
図４は図３の土台２、軸部材３、回転部材４およびキャスタ７を示す側面図である。図において、回転部材４は、軸部材３に軸線方向に並べて配置された３個の回転盤８を有している。各回転盤８は、円板形状の回転円板９と、回転円板９の上面に固定された中空円柱形状の台座１０とを有している。台座１０は、回転円板９の上面の中央部分に配置されている。回転円板９の軸線は、台座１０の軸線と重なるようになっている。回転円板９および台座１０は、回転円板９および台座１０の軸線が軸部材３の軸線と重なるように、軸部材３に配置されている。回転円板９および台座１０は、軸部材３に対して回転自在となっている。
【００１１】
３個の回転盤８のうち、最下段にある回転盤８は、キャスタ７に載せられている。キャスタ７に載せられている回転盤８の台座１０の上面には、その回転盤８の上方に位置する回転盤８の回転円板９が載せられている。また、その回転盤８の台座１０の上面には、その回転盤８の上方に位置する回転盤８の回転円板９が載せられている。各回転円板９の上方には、軸部材３を中心に巻回されたエレベータロープを配置するスペースが形成されている。
【００１２】
図５は図３の土台２、軸部材３、回転部材４、キャスタ７および案内部材５を示す側面図である。図において、案内部材５は、土台２に立てられた一対の柱部材１１と、各柱部材１１の上端部を連結する連結板１２と、各柱部材１１の間に設けられた４個のローラ１３とを有している。４個のローラ１３は、柱部材１１の長手方向に並べて配置されている。隣接するローラ１３の間の距離は、エレベータロープの直径よりも大きくなっている。ローラ１３の回転軸の方向は、水平方向となっている。柱部材１１には、ローラ１３の回転軸１３ａが挿入される複数の貫通孔１１ａが形成されている。複数の貫通孔１１ａは、柱部材１１の長手方向に等間隔に並べて配置されている。これにより、柱部材１１の長手方向についての各ローラ１３の位置を調節することができる。
【００１３】
図６は図３の土台２、軸部材３、キャスタ７、案内部材５および規制部材６を示す平面図、図７は図６の土台２、軸部材３、キャスタ７、案内部材５および規制部材６を示す側面図である。図において、規制部材６は、１本の棒をＵ字形状に折り曲げることにより形成されている。各規制部材６は、規制部材６の湾曲部が上部に位置するように、土台２の周縁部に立てられている。規制部材６の高さ方向の寸法は、軸部材３の高さ方向の寸法よりも大きくなっている。
【００１４】
３個の規制部材６のうちの１個の規制部材６は、軸部材３を挟んで案内部材５に対向するように配置されている。３個の規制部材６のうちの残りの２個の規制部材６は、軸部材３を挟んで互いに対向するように配置されている。また、３個の規制部材６のうちの残りの２個の規制部材６は、上方から視たときに、互いを結ぶ直線と、案内部材５と案内部材５に対向する規制部材６とを結ぶ直線とが互いに直交するように配置されている。
【００１５】
６個のキャスタ７は、土台２の周縁部に周方向に沿って等間隔に並べて配置されている。
【００１６】
図８は図１の台座１０を示す側面図、図９は図８のＩＸ−ＩＸ線に沿った矢視断面図である。図において、台座１０の外周壁には、エレベータロープ１４の端部が挿入可能な開口部１０ａが形成されている。台座１０も内部には、台座１０の底面から軸部材３に沿って上方に延びた引っ掛け棒（固定部材）１５が設けられている。エレベータロープ１４の端部には、引っ掛け棒１５が挿入可能な貫通孔１４ａが形成されている。エレベータロープ１４の貫通孔１４ａに引っ掛け棒１５が挿入されるように、エレベータロープ１４を引っ掛け棒１５に取り付けることにより、エレベータロープ１４の端部は、回転盤８に固定される。
【００１７】
次に、エレベータロープ取替装置を用いたエレベータロープ１４の送り出し手順について説明する。まず、図３に示すように、軸部材３およびキャスタ７が取り付けられている土台２を床１の上に載せ（土台設置工程）、さらに、土台２に案内部材５を取り付ける（案内部材設置工程）。
【００１８】
その後、巻回されたエレベータロープ１４が予め取り付けられている回転盤８を１個ずつ軸部材３に取り付ける（回転部材設置工程）。このとき、図８に示すように、エレベータロープ１４の貫通孔１４ａに引っ掛け棒１５が挿入されるように、エレベータロープ１４を引っ掛け棒１５に取り付ける。その後、土台２に規制部材６を取り付ける（規制部材設置工程）。
【００１９】
その後、各エレベータロープ１４が別々に案内されるように、台座１０に固定されている端部とは反対側のエレベータロープ１４の端部を案内部材５のローラ１３に載せる。その後、各回転盤８を回転させながら、エレベータロープ１４をエレベータロープ取替装置から送り出す（エレベータロープ送り出し工程）。
【００２０】
以上説明したように、この発明の実施の形態１に係るエレベータロープ取替装置によれば、軸部材３が土台２に立てられ、エレベータロープ１４が載せられる複数の回転盤８が、軸部材３の軸線方向に並べて配置されているので、エレベータロープ取替装置全体の水平方向の寸法を小さくすることができる。これにより、作業者が作業を行う作業スペースを広くすることができ、作業効率を向上させることができる。
【００２１】
また、エレベータロープ取替装置は、土台２と回転部材４との間に設けられ、回転部材４が土台２に対して回転可能となるように回転部材４を支持するキャスタ７を備えているので、回転部材４を土台２に対して安定して回転させることができる。
【００２２】
また、エレベータロープ取替装置は、回転部材４の周囲に設けられ、回転盤８に載せられたエレベータロープ１４が回転部材４の径方向外側へ移動することを規制する規制部材６を備えているので、エレベータロープ１４をエレベータロープ取替装置から送り出すときに、エレベータロープ１４が回転部材４の径方向外側へ移動して、回転盤８からエレベータロープ１４が落下することを防止することができる。
【００２３】
また、エレベータロープ取替装置は、回転部材４から送り出される各エレベータロープ１４を別々に案内する案内部材５を備えているので、エレベータロープ１４を円滑に送り出すことができる。
【００２４】
また、回転盤８は、エレベータロープ１４の端部に形成された貫通孔１４ａに挿入されることによりエレベータロープ１４の端部が回転盤８に固定される引っ掛け棒１５を有しているので、エレベータロープ１４の端部を回転盤８に容易に固定することができる。
【００２５】
また、各回転盤８は、互いに分離可能であるので、エレベータロープ１４が取り付けられた回転盤８を１個ずつ軸部材３に取り付けることができる。これにより、エレベータロープ取替装置の設置作業の効率を向上させることができる。
【００２６】
なお、上記実施の形態では、ロープ取替装置として、エレベータロープを送り出すエレベータロープ取替装置を例に説明したが、エレベータロープを巻き取るエレベータロープ取替装置であってもよい。
【００２７】
また、上記実施の形態では、エレベータロープ取替装置がキャスタ７を備えた構成について説明したが、エレベータロープ取替装置がキャスタ７を備えない構成であってもよい。この場合、回転部材４が軸部材３に支持される。
【００２８】
また、上記実施の形態では、キャスタ７が土台２に取り付けられる構成について説明したが、回転部材４の中の最下段にある回転盤８の回転円板９の下面にキャスタ７が取り付けられる構成であってもよい。
【００２９】
また、上記実施の形態では、エレベータロープ取替装置が規制部材６を備えた構成について説明したが、エレベータロープ取替装置が規制部材６を備えない構成であってもよい。
【００３０】
また、上記実施の形態では、エレベータロープ取替装置が案内部材５を備えた構成について説明したが、エレベータロープ取替装置が案内部材５を備えない構成であってもよい。
【００３１】
また、上記実施の形態では、回転盤８が引っ掛け棒１５を有した構成について説明したが、回転盤８が引っ掛け棒１５を有しない構成であってもよい。
【００３２】
また、上記実施の形態では、複数の回転盤８が互いに分離可能である構成について説明したが、複数の回転盤８が一体に形成された構成であってもよい。
【符号の説明】
【００３３】
１  床、２  土台、３  軸部材、４  回転部材、５  案内部材、６  規制部材、７  キャスタ、８  回転盤、９  回転円板、１０  台座、１０ａ  開口部、１１  柱部材、１１ａ  貫通孔、１２  連結板、１３  ローラ、１３ａ  回転軸、１４  エレベータロープ、１４ａ  貫通孔、１５  引っ掛け棒（固定部材）。
【図１】
0005763926.tif 000002
【図２】
0005763926.tif 000003
【図３】
0005763926.tif 000004
【図４】
0005763926.tif 000005
【図５】
0005763926.tif 000006
【図６】
0005763926.tif 000007
【図７】
0005763926.tif 000008
【図８】
0005763926.tif 000009
【図９】
0005763926.tif 000010